(57)【要約】【課題】紙原稿に基づく画像コンテンツの興趣を妨げることなく当該画像コンテンツを表示可能な画像表示端末を提供する。【解決手段】画像表示端末の一態様である携帯電話が実行する処理は、画像コンテンツの表示モードを判定するステップ（Ｓ１７１０）と、当該表示モードがコマ表示モードである場合に（ステップＳ１７１０にてＹＥＳ）、コマカウンタ値に基づいてフラッシュメモリからコマ画像データを読み出すステップ（Ｓ１７２０）と、当該表示モードがページ表示モードである場合に（ステップＳ１７１０にてＮＯ）、ページカウンタ値に基づいて、ページ画像ファイルと領域情報とを読み出すステップ（Ｓ１７４０）と、その領域情報に基づいてページ画像の表示範囲を決定するステップ（Ｓ１７５０）とを含む。【選択図】図１７
2009258172.tif 000002
【特許請求の範囲】
【請求項１】
画像表示端末であって、
画像を表示する表示手段と、
前記画像表示端末に対する指示の入力を受け付ける入力手段と、
画像コンテンツをページ単位で表示するためのページデータと、前記画像コンテンツをコマ単位で表示するためのコマデータと、前記コマデータの表示順序を規定する順序データを含む管理データとを記憶する記憶手段と、
前記画像表示端末の動作を制御する制御手段とを備え、
前記制御手段は、前記順序データと前記コマデータに基づいて、前記コマ単位で、前記画像コンテンツを前記表示手段に表示させ、
前記画像コンテンツが前記コマ単位で表示されている場合に、前記入力手段が前記画像コンテンツを前記ページ単位で表示する指示の入力を受け付けると、前記制御手段は、前記表示されているコマデータについての前記管理データと前記ページデータに基づいて、前記画像コンテンツを前記ページ単位で表示させる、画像表示端末。
【請求項２】
前記管理データは、前記コマデータにおける一点を規定する領域情報を含み、
前記制御手段は、前記コマデータにおける一点を、前記表示手段の表示領域における一点に対応付けることにより、前記コマ画像を前記表示手段に表示させる、請求項１に記載の画像表示端末。
【請求項３】
前記コマデータにおける一点は、前記コマデータを構成する領域の中心である、請求項２に記載の画像表示端末。
【請求項４】
前記管理データは、前記ページデータにおいて前記コマデータが対応する領域を規定する領域情報を含む、請求項１から請求項３のいずれかに記載の画像表示端末。
【請求項５】
前記コマデータを構成する領域を規定した領域情報は矩形であり、
前記コマデータにおける一点は、前記矩形領域におけるいずれかの端点である、請求項４に記載の画像表示端末。
【請求項６】
前記コマデータを構成する領域を規定した領域情報は矩形であり、
前記コマデータにおける一点は、前記矩形領域における対角線の交点である、請求項４に記載の画像表示端末。
【請求項７】
前記管理データは、前記コマデータを識別するデータと、前記ページデータについて規定された座標軸における前記コマデータの一点の座標値とのいずれかを含む、請求項４に記載の画像表示端末。
【請求項８】
前記制御手段は、前記管理データと前記ページデータとに基づいて、前記画像コンテンツをページ単位で前記表示手段に表示させ、
前記画像コンテンツが前記ページ単位で表示されている場合に、前記入力手段が前記画像コンテンツを前記コマ単位で表示する指示の入力を受け付けると、前記制御手段は、前記表示されているページデータについての前記管理データと前記コマデータに基づいて、前記画像コンテンツを前記コマ単位で表示させる、請求項１に記載の画像表示端末。
【請求項９】
前記制御手段は、前記ページ単位で表示されている前記画像コンテンツに含まれる前記コマデータのうち前記表示手段の表示領域の一点を含む前記コマデータを、前記表示手段に表示させる、請求項８に記載の画像表示端末。
【請求項１０】
前記管理データは、前記画像コンテンツを表示した際に発生させる演出効果を規定する表示効果情報を含む、請求項１から請求項９のいずれかに記載の画像表示端末。
【請求項１１】
前記演出効果は、
前記画像コンテンツを前記コマ単位で表示させた場合に前記表示効果情報に基づき発生され、
前記画像コンテンツを前記ページ単位で表示させた場合にも、前記表示効果情報に基づき発生される、請求項１０に記載の画像表示端末。
【請求項１２】
前記ページ単位で表示させた場合に発生される演出効果は、特定の前記コマ画像を表示させた場合に発生される演出効果を含む、請求項１１に記載の画像表示端末。
【請求項１３】
前記制御手段は、
前記管理データと前記コマデータとに基づいて、前記コマ単位で前記画像コンテンツを前記表示手段に表示させると共に、
前記管理データと前記ページデータとに基づいて、前記ページ単位で前記画像コンテンツを前記表示手段に表示させる、請求項１から請求項７および請求項９から請求項１２のいずれかに記載の画像表示端末。
【請求項１４】
前記制御手段は、
前記画像コンテンツを前記コマ単位で表示する前記表示手段上の表示領域と、
前記画像コンテンツを前記ページ単位で表示する前記表示手段上の表示領域とを、各々定義する、請求項１３に記載の画像表示端末。
【請求項１５】
前記表示手段は、第１の表示装置と、第２の表示装置とを含み、
前記制御手段は、
前記画像コンテンツを前記コマ単位で前記第１の表示装置に表示し、
前記画像コンテンツを前記ページ単位で前記第２の表示装置に表示する、請求項１３に記載の画像表示端末。
【請求項１６】
前記制御手段は、前記画像コンテンツを前記コマ単位で前記第１の表示装置に表示し、
前記画像コンテンツを前記ページ単位で前記第２の表示装置に表示している場合に、前記入力手段が前記画像コンテンツの表示を切り替える指示の入力を受け付けると、前記制御手段は、前記画像コンテンツを前記コマ単位で前記第２の表示装置に表示し、前記画像コンテンツを前記ページ単位で前記第１の表示装置に表示する、請求項１５に記載の画像表示端末。
【請求項１７】
画像表示端末における画像表示方法であって、前記画像表示端末は入力装置と表示装置と不揮発記憶装置と制御装置とを備えており、
前記画像表示方法は、
前記不揮発記憶装置から、画像コンテンツをページ単位で表示するためのページデータと、前記画像コンテンツをコマ単位で表示するためのコマデータと、前記コマデータの表示順序を規定する順序データを含む管理データとを読み出すステップと、
前記順序データと前記コマデータに基づいて、前記コマ単位で、前記画像コンテンツを前記表示装置に表示させるステップと、
前記画像コンテンツが前記コマ単位で表示されている場合に、前記入力装置が前記画像コンテンツを前記ページ単位で表示する指示の入力を受け付けると、前記表示されているコマデータについての前記管理データと前記ページデータに基づいて、前記画像コンテンツを前記ページ単位で表示させるステップとを含む、画像表示方法。
【請求項１８】
コンピュータを画像表示端末として機能させるためのプログラムであって、前記コンピュータは入力装置と表示装置と不揮発記憶装置と制御装置とを備えており、
前記プログラムは前記コンピュータに、
前記不揮発記憶装置から、画像コンテンツをページ単位で表示するためのページデータと、前記画像コンテンツをコマ単位で表示するためのコマデータと、前記コマデータの表示順序を規定する順序データを含む管理データとを読み出すステップと、
前記順序データと前記コマデータに基づいて、前記コマ単位で、前記画像コンテンツを前記表示装置に表示させるステップと、
前記画像コンテンツが前記コマ単位で表示されている場合に、前記入力装置が前記画像コンテンツを前記ページ単位で表示する指示の入力を受け付けると、前記表示されているコマデータについての前記管理データと前記ページデータに基づいて、前記画像コンテンツを前記ページ単位で表示させるステップとを実行させる、プログラム。
【請求項１９】
請求項１８に記載のプログラムを格納したコンピュータ読み取り可能な記録媒体。
【請求項２０】
請求項１〜１６のいずれかに記載の画像表示端末において表示可能な画像コンテンツを作成するためのコンテンツ作成装置であって、
少なくとも１つ以上のコマ画像を含むページ画像の画像データの入力を受け付ける入力手段と、
前記コンテンツ作成装置に対する操作指示を受け付ける操作手段と、
画像を表示する表示手段と、
データを格納する記憶手段と、
前記コンテンツ作成装置の動作を制御する制御手段とを備え、
前記制御手段は、
入力された前記画像データに基づく画像を前記表示手段に表示させ、
前記表示手段において表示された画像において各前記コマ画像を含む各領域を特定するための操作入力を受け付け、
特定された各前記領域ごとにコマ画像の画像データを生成し、
各前記コマ画像の画像データを前記記憶手段に格納する、画像コンテンツ作成装置。
【発明の詳細な説明】
【技術分野】
【０００１】
本発明は画像コンテンツを表示する技術に関し、特に、携帯機器における画像コンテンツの表示に関する。
【背景技術】
【０００２】
携帯電話機を始めとする表示装置を有した携帯機器が、いわゆる漫画（コミック）コンテンツを表示する際、幾つかの問題点がある。漫画は、主として雑誌、単行本、新聞等の紙媒体を通じて読者に提供される画像を中心としたコンテンツであり、通常、１ページ単位で原稿が作成される。以下、このページ単位の原稿をページ原稿、ページ単位の画像をページ画像ということもある。
【０００３】
表示領域の面積が小さい表示装置を有する携帯機器がページ画像を表示する場合において、１ページ単位の原稿をそのまま表示すると、（１）漫画の特徴である吹き出し文字が相対的に小さくなり視認性が低下するという問題、（２）画像の拡大縮小、視野範囲の移動等コンテンツの閲覧に必要なキー操作が煩雑になり、いわゆるリズム感をもってコンテンツを楽しみにくくなるという問題がある。
【０００４】
そこで、たとえば、特開２００２−２７９３９６号公報（特許文献１）は、ページ画像を、当該ページ画像に含まれるコマ画像（すなわち、いわゆる漫画の１コマ単位の画像）に分割し、各コマ画像を一定の順序で表示していくことにより、漫画コンテンツの閲覧を可能にする技術を開示している。
【０００５】
また、特開２００２−２７８５４０号公報（特許文献２）は、ページ画像をディスプレイサイズに分割して、分割後の各画像を順次ディスプレイ装置に表示する技術を開示している。
【特許文献１】特開２００２−２７９３９６号公報
【特許文献２】特開２００２−２７８５４０号公報
【発明の開示】
【発明が解決しようとする課題】
【０００６】
特開２００２−２７９３９６号公報に開示された技術によると、複数のコマ画像と制御情報（コマ番号、イベント情報）から構成されており、指定されたコマ番号に沿って順次コマ画像を表示していくことにより、閲覧が出来る。コマ画像に関係付けられたコマ番号により、作成者の意図通りに順次コマを切り替えながら閲覧することができる一方、コマ番号のみによって関連付けられているため、ページ画像を部分的に表示するといったページ状態表示に対応することが出来ない。
【０００７】
そして、コマ画像での閲覧の場合、当該コマ画像のみが表示されるため、元の原稿が持つ雰囲気、当該コマ画像の周辺に位置するコマ画像との関係、ページ画像上でのコマ画像の相対的な位置、コマ枠の間隔等により、抽象的に表現されている情報が欠落するという問題がある。また、元の原稿そのものから生成されたページ画像が当該コンテンツに含まれないということは、著作者の意図に反して著作物の内容の同一性を喪失することにも該当し、コンテンツ流通の障害になることも考えられる。
【０００８】
また、特開２００２−２７８５４０号公報に開示された技術によると、基準点を元に画像が表示領域の大きさに切り出される。そのため、表示領域の形状によっては、必要な領域を全て表示することを保障できない。たとえば、大きな面積のコマの全てを表示することができない。また、コマの大きさに関わらず拡大率（縮小率）が均一であるため、小さな面積のコマは相対的に表示面積が小さくなり、迫力が出ず、画像コンテンツによる興趣を損なう恐れもある。
【０００９】
本発明は、上述の問題点を解決するためになされたものであって、その目的は、元の原稿が持つ雰囲気を失うことなく画像コンテンツを表示可能な画像表示端末を提供することである。他の目的は、ディスプレイの大きさによらず画像コンテンツを表示可能な画像表示端末を提供することである。
【００１０】
他の目的は、元の原稿が持つ雰囲気を失うことなく画像コンテンツを表示可能な画像表示方法を提供することである。他の目的は、ディスプレイの大きさによらず画像コンテンツを表示可能な画像表示方法を提供することである。
【００１１】
他の目的は、元の原稿が持つ雰囲気を失うことなく画像コンテンツを表示可能な画像表示装置としてコンピュータを機能させるためのプログラムを提供することである。他の目的は、ディスプレイの大きさによらず画像コンテンツを表示可能な画像表示装置としてコンピュータを機能させるためのプログラムを提供することである。
【００１２】
他の目的は、当該プログラムを格納した記録媒体を提供することである。
さらに他の目的は、元の原稿が持つ雰囲気を失うことなく画像コンテンツを表示可能なデータを作成するための画像コンテンツ作成装置を提供することである。
【課題を解決するための手段】
【００１３】
上記の課題を解決するために、この発明のある局面に従う画像表示端末は、画像を表示する表示手段と、画像表示端末に対する指示の入力を受け付ける入力手段と、画像コンテンツをページ単位で表示するためのページデータと、画像コンテンツをコマ単位で表示するためのコマデータと、コマデータの表示順序を規定する順序データを含む管理データとを記憶する記憶手段と、画像表示端末の動作を制御する制御手段とを備える。制御手段は、順序データとコマデータに基づいて、コマ単位で、画像コンテンツを表示手段に表示させる。画像コンテンツがコマ単位で表示されている場合に、入力手段が画像コンテンツをページ単位で表示する指示の入力を受け付けると、制御手段は、表示されているコマデータについての管理データとページデータに基づいて、画像コンテンツをページ単位で表示させる。
【００１４】
好ましくは、管理データは、コマデータにおける一点を規定する領域情報を含む。制御手段は、コマデータにおける一点を、表示手段の表示領域における一点に対応付けることにより、コマ画像を表示手段に表示させる。
【００１５】
好ましくは、コマデータにおける一点は、コマデータを構成する領域の中心である。
好ましくは、管理データは、ページデータにおいてコマデータが対応する領域を規定する領域情報を含む。
【００１６】
好ましくは、コマデータを構成する領域を規定した領域情報は矩形である。コマデータにおける一点は、矩形領域におけるいずれかの端点である。
【００１７】
好ましくは、コマデータを構成する領域を規定した領域情報は矩形である。コマデータにおける一点は、矩形領域における対角線の交点である。
【００１８】
好ましくは、管理データは、コマデータを識別するデータと、ページデータについて規定された座標軸におけるコマデータの一点の座標値とのいずれかを含む。
【００１９】
好ましくは、制御手段は、管理データとページデータとに基づいて、画像コンテンツをページ単位で表示手段に表示させる。画像コンテンツがページ単位で表示されている場合に、入力手段が画像コンテンツをコマ単位で表示する指示の入力を受け付けると、制御手段は、表示されているページデータについての管理データとコマデータに基づいて、画像コンテンツをコマ単位で表示させる。
【００２０】
好ましくは、制御手段は、ページ単位で表示されている画像コンテンツに含まれるコマデータのうち表示手段の表示領域の一点を含むコマデータを、表示手段に表示させる。
【００２１】
好ましくは、管理データは、画像コンテンツを表示した際に発生させる演出効果を規定する表示効果情報を含む。
【００２２】
好ましくは、演出効果は、画像コンテンツをコマ単位で表示させた場合に表示効果情報に基づき発生され、画像コンテンツをページ単位で表示させた場合にも、表示効果情報に基づき発生される。
【００２３】
好ましくは、ページ単位で表示させた場合に発生される演出効果は、特定のコマ画像を表示させた場合に発生される演出効果を含む。
【００２４】
好ましくは、制御手段は、管理データとコマデータとに基づいて、コマ単位で画像コンテンツを表示手段に表示させると共に、管理データとページデータとに基づいて、ページ単位で画像コンテンツを表示手段に表示させる。
【００２５】
好ましくは、制御手段は、画像コンテンツをコマ単位で表示する表示手段上の表示領域と、画像コンテンツをページ単位で表示する表示手段上の表示領域とを、各々定義する。
【００２６】
好ましくは、表示手段は、第１の表示装置と、第２の表示装置とを含む。制御手段は、画像コンテンツをコマ単位で第１の表示装置に表示し、画像コンテンツをページ単位で第２の表示装置に表示する。
【００２７】
好ましくは、制御手段は、画像コンテンツをコマ単位で第１の表示装置に表示する。画像コンテンツをページ単位で第２の表示装置に表示している場合に、入力手段が画像コンテンツの表示を切り替える指示の入力を受け付けると、制御手段は、画像コンテンツをコマ単位で第２の表示装置に表示し、画像コンテンツをページ単位で第１の表示装置に表示する。
【００２８】
この発明の他の局面に従うと、画像表示端末における画像表示方法が提供される。画像表示端末は入力装置と表示装置と不揮発記憶装置と制御装置とを備えている。画像表示方法は、不揮発記憶装置から、画像コンテンツをページ単位で表示するためのページデータと、画像コンテンツをコマ単位で表示するためのコマデータと、コマデータの表示順序を規定する順序データを含む管理データとを読み出すステップと、順序データとコマデータに基づいて、コマ単位で、画像コンテンツを表示装置に表示させるステップと、画像コンテンツがコマ単位で表示されている場合に、入力装置が画像コンテンツをページ単位で表示する指示の入力を受け付けると、表示されているコマデータについての管理データとページデータに基づいて、画像コンテンツをページ単位で表示させるステップとを含む。
【００２９】
この発明の他の局面に従うと、コンピュータを画像表示端末として機能させるためのプログラムが提供される。コンピュータは入力装置と表示装置と不揮発記憶装置と制御装置とを備えている。プログラムはコンピュータに、不揮発記憶装置から、画像コンテンツをページ単位で表示するためのページデータと、画像コンテンツをコマ単位で表示するためのコマデータと、コマデータの表示順序を規定する順序データを含む管理データとを読み出すステップと、順序データとコマデータに基づいて、コマ単位で、画像コンテンツを表示装置に表示させるステップと、画像コンテンツがコマ単位で表示されている場合に、入力装置が画像コンテンツをページ単位で表示する指示の入力を受け付けると、表示されているコマデータについての管理データとページデータに基づいて、画像コンテンツをページ単位で表示させるステップとを実行させる。
【００３０】
この発明の他の局面に従うと、上記のプログラムを格納したコンピュータ読み取り可能な記録媒体が提供される。
【００３１】
この発明のさらに他の局面に従うと、上記のいずれかに記載の画像表示端末において表示可能な画像コンテンツを作成するための画像コンテンツ作成装置が提供される。このコンテンツ作成装置は、少なくとも１つ以上のコマ画像を含むページ画像の画像データの入力を受け付ける入力手段と、コンテンツ作成装置に対する操作指示を受け付ける操作手段と、画像を表示する表示手段と、データを格納する記憶手段と、コンテンツ作成装置の動作を制御する制御手段とを備える。制御手段は、入力された画像データに基づく画像を表示手段に表示させ、表示手段において表示された画像において各コマ画像を含む各領域を特定するための操作入力を受け付け、特定された各領域ごとにコマ画像の画像データを生成し、各コマ画像の画像データを記憶手段に格納する。
【発明の効果】
【００３２】
本発明によると、元の原稿が持つ雰囲気を失うことなく画像コンテンツを表示することが可能となる。
【発明を実施するための最良の形態】
【００３３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３４】
＜第１の実施の形態＞
図１を参照して、本発明の実施の形態に係る画像表示装置の仕様態様について説明する。図１は、画像表示装置が接続されるネットワーク構成を表わす図である。
【００３５】
画像表示装置として機能する携帯電話機４０は、基地局３０と通信する。基地局３０は、インターネットその他のネットワーク２０に接続されている。ネットワーク２０には、コンテンツ配信サーバ１０が接続されている。さらに、ネットワーク２０には、デスクトップコンピュータ、ノートブック型コンピュータその他のＰＣ（Personal Computer）５０が接続される。ＰＣ５０は、着脱可能な記録媒体の１つであるメモリカード６０の装着を受け付ける。メモリカード６０は、画像表示装置の他の一例である携帯端末７０に装着可能である。
【００３６】
コンテンツ配信サーバ１０は、後述する画像コンテンツを配信する。コンテンツ配信サーバ１０は、ある局面において、コンピュータシステムとして実現される。
【００３７】
携帯電話機４０は、コンテンツ配信サーバ１０との間で通信セッションを形成し、コンテンツ配信サーバ１０から画像コンテンツのデータを受信し、内蔵するメモリに格納する。携帯電話機４０は、その利用者による操作に応じて、当該画像コンテンツを表示する。
【００３８】
一方、ＰＣ５０は、コンテンツ配信サーバ１０との間で通信セッションを形成する。ＰＣ５０の使用者は、ディスプレイ装置に表示される一覧メニューからダウンロードを希望する画像コンテンツを選択し、ダウンロード要求をコンテンツ配信サーバ１０に対して送信する。コンテンツ配信サーバ１０は、その要求に応答して、当該選択された画像コンテンツをＰＣ５０に送信する。ＰＣ５０に取り込まれた画像コンテンツは、メモリカード６０に格納される。メモリカード６０が携帯端末７０に装着されると、携帯端末７０は、メモリカード６０から当該画像コンテンツを読み出し、表示装置にその画像を表示する。
【００３９】
図２を参照して、画像コンテンツについて説明する。図２は、画像コンテンツを構成する画像の関係を表わす図である。画像コンテンツは、たとえば、ページ原稿をそれぞれデータとして取り込んだ各ページ単位で構成される。一例として、ページ画像２００は、ページ原稿をスキャナで取り込んだことにより取得された画像データに相当する。ページ画像２００は、具体的な画像として、コマ画像２１２からコマ画像２３２を含む。ページ画像２００に含まれる内容のストーリーに従って、コマ画像２１２、コマ画像２１４、コマ画像２１６、コマ画像２１８・・・のように各コマ画像が閲覧される。
【００４０】
図３を参照して、ページ画像とコマ画像との関係についてさらに説明する。図３は、コマ画像とページ画像との対応付けを表わす図である。本実施の形態に係る画像表示装置は、ページ画像とコマ画像とをそれぞれ表示するためのデータを保持する。より具体的には、携帯電話機４０は、ページ画像２００を表示するためのデータ（ページ画像データ）と、コマ画像２１２から２３２をそれぞれ表示するためのデータ（コマ画像データ）とをそれぞれ不揮発的に格納する。メモリカード６０においても同様のデータが保持される。
【００４１】
このとき、各コマ画像２１２から２３２と、ページ画像２００との間には、一定の関連付けが形成されている。すなわち、ページ画像２００に含まれるコマ画像２１２と単独のコマ画像２１２としてのデータとがそれぞれ対応付けられる。同様に、ページ画像２００に含まれるコマ画像２１４と、単独のコマ画像を表示するためのデータとが対応付けられる。
【００４２】
ページ画像とコマ画像との関連付けを実現するために、ここで「領域情報」という概念を用いる。ある局面において、領域情報は、ページ画像２００における特定の一点を基準とする座標値（基準座標）と、ページ画像２００における各コマ画像の領域（たとえば矩形領域）の幅と高さとを含む。しかしながら、領域情報は、これらのみに限られない。たとえば、領域は矩形に限られず、多角形、円形等であってもよい。多角形の領域の場合、領域情報は、中心座標（基準座標）、各頂点の座標を含み得る。また、円形の領域の場合、領域情報は、中心座標および半径を含み得る。
【００４３】
次に、図４を参照して、本実施の形態に係るコンテンツ配信サーバ１０の構成について説明する。図４は、コンテンツ配信サーバ１０によって実現される機能の構成を表わすブロック図である。コンテンツ配信サーバ１０は、入力部４１０と、ページ画像データ取得部４２０と、画像処理部４３０と、記憶部４４０と、操作部４５０と、領域情報取得部４６０と、表示順序決定部４７０と、コマ画像データ生成部４８０と、出力部４９０とを備える。
【００４４】
入力部４１０は、コンテンツ配信サーバ１０に対する命令またはデータの入力を受け付ける。入力部４１０は、ある局面において、信号入力インターフェイスとして実現される。
【００４５】
さらに、入力部４１０は、他の局面において、着脱可能な記録媒体が装着されて当該記録媒体からデータを読み出すための駆動装置としても実現される。
【００４６】
ページ画像データ取得部４２０は、入力部４１０に対して入力された画像データからページ画像データ（たとえばページ画像２００）を取得する。
【００４７】
画像処理部４３０は、ページ画像データ取得部４２０によって取得された画像データに対して、スキャン時に生じた傾きを補正するための処理、紙原稿に含まれていないごみ（ノイズ）を除去する処理、ホワイトバランスの調整、（両面原稿をスキャンした場合に生じ得る）裏移り除去、ラスタライズなどの画像処理を実行する。画像処理部４３０は、これらの処理を実行して得られたデータを記憶部４４０に格納する。
【００４８】
記憶部４４０は、不揮発的にデータを保持できるメモリ装置として実現される。ある局面において、記録部４４０は、ハードディスク、フラッシュメモリその他の記憶装置が使用される。
【００４９】
操作部４５０は、コンテンツ配信サーバ１０に対する操作指示の入力を受け付ける。操作部４５０は、ある局面において、コンピュータシステムに付随するキーボード、マウスその他のポインティングデバイスあるいはディスプレイ装置に取り付けられるタッチパネルとして実現される。操作部４５０は、コンテンツ配信サーバ１０に対する命令を受け付けると、その命令に応じた信号を領域情報取得部４６０に送出する。
【００５０】
領域情報取得部４６０は、操作部４５０に対する操作に基づいて、記憶部４４０に格納されているページ画像データから領域情報を取得する。たとえば、コンテンツ配信サーバ１０のディスプレイ装置に表示されたページ画像に対して、コンテンツ配信サーバ１０の使用者が操作部４５０を操作して特定の矩形領域を選択すると、その選択された領域を規定するデータ（たとえば座標値）が領域情報取得部４６０によって取得される。
【００５１】
あるいは、他の局面において、元原稿がＣＡＤ（Computer Aided Design）によって作成される場合には、その作成時に生成されるデータが領域情報取得部４６０に取得されてもよい。領域情報取得部４６０が取得した各領域情報は、一時的にコンテンツ配信サーバ１０に保持される。
【００５２】
表示順序決定部４７０は、操作部４５０に対して与えられた操作指示に基づいて、コマ画像を表示する順序を決定する。通常、各コマ画像が表示される順序は、ページ画像に含まれる各コマ画像の配列に応じて規定される。本実施の形態においては、コンテンツ配信サーバ１０の使用者（たとえば画像コンテンツの供給者）がディスプレイ装置に表示された各画像のそれぞれを表示順に選択することにより、当該表示順序が表示順序決定部４７０によって決定される。
【００５３】
コマ画像データ生成部４８０は、領域情報取得部４６０によって取得された領域情報と、表示順序決定部４７０によって決定された表示順序と、記憶部４４０に格納されているページ画像データとに基づいて、各コマ画像データ（たとえばコマ画像２１２から２３２に対応）を生成する。コマ画像データ生成部４８０は、各コマ画像データを生成すると、その生成したデータを記憶部４４０に書き込む。
【００５４】
出力部４９０は、入力部４１０に対して与えられた送信要求信号に基づいて、あるいは操作部４５０に対して与えられた送信指示に基づいて、記憶部４４０に格納されているページ画像データと各コマ画像データとを、それぞれ当該要求の送信元に送信する。たとえば、携帯電話機４０の使用者が、画像コンテンツの配信要求をコンテンツ配信サーバ１０に送信すると、コンテンツ配信サーバ１０は、記憶部４４０に格納されているページ画像データと各コマ画像データとを含む画像コンテンツを携帯電話機４０に送信する。
【００５５】
次に、図５を参照して、本発明の実施の形態に係るコンテンツ配信サーバ１０の具体的構成の一態様について説明する。図５は、コンテンツ配信サーバ１０として機能するコンピュータシステム５００のハードウェア構成を表わすブロック図である。コンピュータシステム５００は、主たる構成要素として、ＣＰＵ（Central Processing Unit）５１０と、マウス５２０と、キーボード５３０と、ＲＡＭ（Random Access Memory）５４０と、ハードディスク５５０と、光ディスク駆動装置５６０と、通信Ｉ／Ｆ（Interface）５７２と、入力Ｉ／Ｆ５７０と、モニタ５８０とを備える。入力Ｉ／Ｆ５７０には、スキャナ５９０が接続される。光ディスク駆動装置５６０には、ＣＤ−ＲＯＭ（Compact Disc-Read Only Memory）５６２その他の記録媒体が装着される。
【００５６】
ＣＰＵ５１０は、コンピュータシステム５００に与えられる命令に基づいて、あるいは予め定められた条件が成立したことに基づいて、コンピュータシステム５００の動作を制御する。マウス５２０は、コンピュータシステム５００の使用者による命令の入力を受け付ける。キーボード５３０も同様に、コンピュータシステム５００の使用者による命令を受け付ける。ＲＡＭ５４０は、ＣＰＵ５１０によって生成されたデータ、あるいは外部から与えられたデータを一時的に保持する。ハードディスク５５０は、コンピュータシステム５００に与えられたデータあるいはＣＰＵ５１０によって生成されたデータを不揮発的に格納する。光ディスク駆動装置５６０は、ＣＤ−ＲＯＭ５６２その他の記録媒体からデータを読み出し、ＲＡＭ５４０に転送する。また他の局面において、データの書き込みが可能な記録媒体が光ディスク駆動装置５６０に装着されると、光ディスク駆動装置５６０は、ＣＰＵ５１０の命令に応答して、指定されたデータを書き込む。
【００５７】
入力Ｉ／Ｆ５７０は、スキャナ５９０から送られる画像データの入力を受け付けて、ＲＡＭ５４０に確保されたワーク領域にそのデータを書き込む。入力されたデータは、モニタ５８０に表示される。
【００５８】
通信Ｉ／Ｆ５７２は、ネットワーク２０に接続される。通信Ｉ／Ｆ５７２は、ＣＰＵ５１０からの命令に従って携帯電話機機４０、ＰＣ５０その他の情報通信装置との間で通信セッションを形成し、データのやりとりを行なう。
【００５９】
コンピュータシステム５００における処理は、各ハードウェアおよびＣＰＵ５１０により実行されるソフトウェアによって実現される。このようなソフトウェアは、ハードディスク５５０に予め格納されている場合がある。また、ソフトウェアは、ＣＤ−ＲＯＭ５６２その他の記録媒体に格納されて、プログラムプロダクトとして流通している場合もある。あるいは、当該ソフトウェアは、いわゆるインターネットその他のネットワーク２０に接続している情報提供事業者によってダウンロード可能なプログラムプロダクトとして提供される場合もある。このようなソフトウェアは、光ディスク駆動装置５６０その他の読取装置によりその記録媒体から読取られて、あるいは通信Ｉ／Ｆ５７２を介してダウンロードされた後、ハードディスク５５０に一旦格納される。そのソフトウェアは、ＣＰＵ５１０によってハードディスク５５０から読み出され、ＲＡＭ５４０に実行可能なプログラムの形式で格納される。ＣＰＵ５１０は、そのプログラムを実行する。
【００６０】
図５に示されるコンピュータシステム５００の各構成要素は、一般的なものである。したがって、本発明の最も本質的な部分は、ＲＡＭ５４０、ハードディスク５５０、ＣＤ−ＲＯＭ５６２その他の記録媒体に格納されたソフトウェア、あるいはネットワークを介してダウンロード可能なソフトウェアであるとも言える。なお、コンピュータシステム５００の各構成要素の動作は周知であるので、詳細な説明は繰返さない。
【００６１】
ここで、記録媒体としては、ＣＤ−ＲＯＭ５６２あるいはハードディスク５５０に限られず、ＦＤ（Flexible Disc）、磁気テープ、カセットテープ、光磁気ディスクＭＯ（Magnetic Optical Disc）／ＭＤ（Mini Disc）／ＤＶＤ（Digital Versatile Disc）、ＩＣ（Integrated Circuit）カード（メモリカードを含む）、光カード、マスクＲＯＭ、ＥＰＲＯＭ（Erasable Programmable Read-Only Memory）、ＥＥＰＲＯＭ（Electronically Erasable Programmable Read-Only Memory）、フラッシュメモリなどの半導体メモリなどの固定的にプログラムを担持できる媒体でもよい。
【００６２】
なお、ここでいうプログラムとは、ＣＰＵ５１０により直接実行可能なプログラムだけでなく、ソースプログラム形式のプログラム、圧縮処理されたプログラム、暗号化されたプログラムなどを含む。
【００６３】
次に、図６を参照して、ページ画像からコマ画像を生成する方法について説明する。図６は、コンピュータシステム５００とスキャナ５９０とが実行する一連の動作の手順を表わすフローチャートである。
【００６４】
ステップＳ６１０にて、スキャナ５９０は、スキャン指示に基づいて元原稿としての紙の原稿をスキャンして画像データを生成する。スキャナ５９０は、その生成した画像データをコンピュータシステム５００に送出する。紙の原稿は、たとえば、ページ原稿であるが、その他の雑誌あるいは図表等であってもよい。
【００６５】
ステップＳ６２０にて、コンピュータシステム５００のＣＰＵ５１０は、スキャナ５９０から送られた画像データを、マウス５２０あるいはキーボード５３０に対して与えられた命令に基づいて補正する。なお、これら画像データの補正は、予め定められたアルゴリズムに基づいて、特定の条件が成立した場合に自動的に実行されてもよい。画像データを補正するための処理は、傾き補正、ノイズ除去、ホワイトバランス調整、ラスタライズなどを含む。
【００６６】
ステップＳ６３０にて、ＣＰＵ５１０は、補正後の画像データをページ画像データとしてハードディスク５５０に保存する。ステップＳ６４０にて、ＣＰＵ５１０は、補正後の画像データに基づく画像をモニタ５８０に表示する。これにより、コンピュータシステム５００の使用者は、紙原稿に基づいて生成された画像を確認することができる。
【００６７】
ステップＳ６５０にて、ＣＰＵ５１０は、マウス５２０、キーボード５３０あるいはタッチパネルに対する操作に基づいて、コマ画像の領域を決定するための操作の入力を受け付ける。たとえば、コンピュータシステム５００の利用者（すなわち、画像データの作成者）が、モニタ５８０に表示されるカーソルをマウス５２０を用いてドラッグすると、当該コマ画像の領域が表示される。なお、これらコマ画像領域は、予め定められたアルゴリズムに基づいて、特定の条件が成立した場合に自動的に設定されてもよい。
【００６８】
ステップＳ６６０にて、ＣＰＵ５１０は、コマ画像の領域が確定したか否かを判定する。この判定は、領域の確定を表わす操作がマウス５２０、キーボード５３０などから与えられたか否かに基づいて行なわれる。ＣＰＵ５１０は、コマ画像の領域が確定したと判定すると（ステップＳ６６０にてＹＥＳ）、制御をステップＳ６７０に切り替える。そうでない場合には（ステップＳ６６０にてＮＯ）、ＣＰＵ５１０は、制御をステップＳ６５０に戻す。
【００６９】
ステップＳ６７０にて、ＣＰＵ５１０は、確定したコマ画像の領域に基づいて、当該コマ画像の領域情報（たとえば矩形領域の座標値）を取得する。ステップＳ６７２にて、ＣＰＵ５１０は、コマ領域の画像を、コマ画像として、名前（表示順序決定部４７０によって決定された表示順序）に関連付ける。
【００７０】
ステップＳ６８０にて、ＣＰＵ５１０は、当該表示順序が確定したか否かを判定する。この判定は、マウス５２０、キーボード５３０などから当該確定を表わす信号が送られたか否かに基づいて行なわれる。ＣＰＵ５１０は、表示順序が確定したと判定すると（ステップＳ６８０にてＹＥＳ）、制御をステップＳ６９０に切り替える。そうでない場合には（ステップＳ６８０にてＮＯ）、ＣＰＵ５１０は、制御をステップＳ６７２に戻す。
【００７１】
ステップＳ６９０にて、ＣＰＵ５１０は、確定した表示順序をハードディスク５５０に保存する。ステップＳ６９２にて、ＣＰＵ５１０は、コマ画像に表示効果を関連付けして、画像表示装置に表示するためのコマ画像データを生成する。ここで、コマ画像の表示効果とは、当該コマ画像に応じた音声、振動、画面の振動、バックライトの点滅、コマ画像の切り替え時のフェードイン・フェードアウトなどの演出効果を含む。ステップＳ６９４にて、ＣＰＵ５１０は、表示用のコマ画像データと、表示効果と、領域情報（ステップＳ６７０）とを関連付けてハードディスク５５０に保存する。
【００７２】
図７を参照して、コンテンツ配信サーバ１０のデータ構造について説明する。図７は、コンテンツ配信サーバ１０として機能するコンピュータシステム５００のハードディスク５５０におけるデータの格納の一態様を概念的に表わす図である。ハードディスク５５０は、データを格納するための領域７１０〜領域７８０を含む。
【００７３】
各画像コンテンツのページ番号は、領域７１０に格納されている。ページ画像データは、領域７２０に格納される。当該ページに含まれるコマ画像についての領域情報は、領域７３０、７４０、７５０にそれぞれ格納される。たとえば、ページ番号「００１」のページ画像は、第１のコマ画像（００１Ａ）、第２のコマ画像（００１Ｂ）等を含む。第１のコマ画像の座標値は、領域７３０に格納される。より具体的には、第１のコマ画像の中心座標は、当該ページ画像の基準座標に対して（１０，１０）の位置に存在する。同様に、第２のコマ画像の座標値は、（８０，１０）として規定されている。
【００７４】
またハードディスク５５０には、各コマ画像を表示する順序を規定するためのデータも格納されている。より具体的には、表示順序は、領域７６０に格納されている。その順序に応じて表示されるコマ画像データは、領域７７０に格納されている。表示順序は、前述のステップＳ６７２およびステップＳ６８０において決定されたものである。
【００７５】
さらに、ハードディスク５５０には、各コマ画像を表示する際の表示効果を規定するための表示効果情報も格納されている。より具体的には、表示効果情報は、領域７８０に格納されている。表示効果情報は、ステップＳ６９２において生成されたものである。
【００７６】
ページ画像と各コマ画像とを表示する各データの持ち方は、図７に示されるものに限られない。
【００７７】
図８を参照して、画像コンテンツ８００について説明する。図８は、画像コンテンツ８００のデータ構成を概念的に表わす図である。画像コンテンツ８００は、配信サーバ１０から各端末（例えば携帯電話機４０）に配信され、各端末内の記憶部に格納される。なお、各画像コンテンツは、たとえば当該端末の使用者による配信要求に応じて、あるいは、予め設定されたタイミング（毎日一定時刻など）に、当該端末に配信される。
【００７８】
画像コンテンツ８００は、コマ画像データ８１０，８２０，８３０と、ページ画像データ８４０と、管理情報８５０とを含む。管理情報８５０は、配信サーバ１０のハードディスク５５０の領域７１０，７２０，７３０，７４０，７５０，７６０，７７０，７８０に格納されている情報から生成される。管理情報８５０は、たとえば、ＸＭＬ（eXtensible Markup Language)等のマークアップ言語によって記述される。管理情報８５０は、コマ情報８６０，８７０，８８０を含む。各コマ情報は、一つのコマを定義する。より詳しくは、各コマ情報は、対応するコマ画像データと、対応するページ画像データおよび領域情報と、対応する表示効果情報とを含む。
【００７９】
なお、端末内の管理情報の形式は、図８に示される例に限られない。また、画像コンテンツに含まれる情報の全てが各端末内に予め格納されている必要はなく、たとえば、必要に応じて配信サーバ１０から逐次配信されるものであってもよい。
【００８０】
より具体的には、各コマ画像８１０，８２０，８３０は、コマ情報８６０，８７０，８８０によってそれぞれ規定されている。コマ情報８６０がプロセッサによって読み出されると、コマ画像８１０が表示される。コマ情報８７０が読み出されると、コマ画像８２０が表示される。同様に、コマ情報８８０が読み出されると、コマ画像８３０が表示される。
【００８１】
各コマ画像データ８１０，８２０，８３０は、ページ画像データ８４０に含まれるコマ８１１，８２１，８３１にそれぞれ対応している。このとき、ページ画像上で各コマ８１１，８２１，８３１を規定する領域情報は、コマ情報８６０，８７０，８８０にそれぞれ含まれる。より詳しくは、コマ画像データ８１０に相当するコマ８１１の領域情報は、コマ情報８６０において、「 <koma_region pagefile="page_001.jpg height="10" width="40" base_x="20" base_y="10"> 」と記述される。他のコマ画像データに相当するコマの領域情報についても、「 <koma_region ... > 」との記述によって表される。
【００８２】
さらに、図９を参照して、本実施の形態における領域情報について説明する。図９は、ページ画像データ８４０におけるコマ画像と領域情報との関係を示すものである。同じページ画像８４０上のコマ８１１，８２１，８３１は、それぞれ領域９１０，９２０，９３０に対応しており、また、それぞれコマ画像データ８１０，８２０，８３０に対応している。領域９１０，９２０，９３０は、たとえば、矩形の領域として表される。この場合、各領域の中心点９１１，９２１，９３１が領域情報を規定する基準点として使用される。
【００８３】
図９に示される例では、ページ画像の特定の１点（たとえば当該ページ画像の矩形領域の左上の端点）をページ画像の基準点とすると、領域９１０の中心点９１１は、座標（２０，１０）として規定される。同様に、中心点９２１は、座標（８０，１０）として規定される。中心点に加え、領域の幅ならびに高さを規定することにより、矩形の領域が一意に定義される。このような領域情報により、ページ画像におけるコマが定義され、各コマ情報において、コマ画像データとも関連付けられる。
【００８４】
たとえば、コマ８１１は、コマ情報８６０においてページ画像データ８４０上の領域９１０として規定され、コマ画像データ８１０に関連付けられる。ここで、コマ８１１の表示を行う際に、ページ画像データ８４０において少なくとも領域９１０を含む領域を表示する手法を「ページ画像データを表示するモード（ページ画像表示モード）」と呼び、コマ画像データ８１０を表示する手法を、「コマ画像を表示するモード（コマ画像表示モード）」と呼ぶ。いずれの手法においても、閲覧者にコマ８１１を提示することが出来る。
【００８５】
［携帯電話機の機能構成］
次に、図１０を参照して、本発明の実施の形態に係る携帯電話機４０の構成について説明する。図１０は、携帯電話機４０によって実現される機能の構成を表わすブロック図である。携帯電話機４０は、画像データ入力部１０１０と、記憶部１０２０と、操作部１０３０と、表示モード切替部１０４０と、表示対象画像特定部１０５０と、コマ画像表示制御部１０６０と、ページ画像表示制御部１０７０と、表示部１０８０とを備える。
【００８６】
画像データ入力部１０１０は、携帯電話機４０の外部から画像コンテンツ入力を受け付ける。画像データ入力部１０１０は、ある局面において、通信回線を用いてデータの授受を行なう通信装置として実現される。他の局面において、画像データ入力部１０１０は、着脱可能な記録媒体の装着を受けて当該記録媒体からデータを読み出す駆動装置としても実現される。
【００８７】
記憶部１０２０は、画像データ入力部１０１０によって受け付けられた画像コンテンツを格納する。記憶部１０２０は、ある局面において、データを不揮発的に保持できるフラッシュメモリ、あるいは着脱可能な記録媒体として実現される。
【００８８】
操作部１０３０は、携帯電話機４０に対する操作指示の入力を受け付ける。操作部１０３０は、携帯電話機４０の筐体に設けられたボタン、ジョグダイヤル、タッチパッドその他の入力インターフェイスとして実現される。
【００８９】
表示モード切替部１０４０は、操作部１０３０からの指令に基づいて、表示部１０８０における画像の表示モードを切り替える。表示モードは、少なくともページ画像データを表示するモードとコマ画像データを表示するモードとを含む。
【００９０】
表示対象画像特定部１０５０は、操作部１０３０に対して与えられた操作指示と表示モード切替部１０４０からの出力とに基づいて、表示部１０８０に表示される対象となる画像を特定する。たとえば、携帯電話機４０が、あるコマを表示している場合、操作部１０３０に対して「次コマ」の指示が与えられると、表示対象画像特定部１０５０は、表示部１０８０に現在表示されているコマの次に表示されるべきコマを、前述の表示順序に基づいて特定する。
【００９１】
コマ画像表示制御部１０６０は、表示対象画像特定部１０５０からの出力と記憶部１０２０に格納されているコマ画像データとに基づいて、表示対象として特定されたコマ画像を表示部１０８０に表示させる。ある局面において、コマ画像表示制御部１０６０は、次の表示対象となるコマ画像の中心点を読み出し、その中心点が表示部１０８０の表示領域の中心位置と一致するようにデータを表示用メモリに書き込む。
【００９２】
ページ画像表示制御部１０７０は、表示対象画像特定部１０５０からの出力と記憶部１０２０に格納されているページ画像データとに基づいて、次に表示されるべきページ画像を表示部１０８０に表示させる。より具体的には、ページ画像の特定の１点（たとえば左上の１点）が表示部１０８０の表示領域の１点（たとえば左上の１点）に一致するように、ページ画像データを表示用メモリに書き込む。あるいは、他の局面において、コマ画像が表示部１０８０に表示されている場合において、表示モードの切替が指示された場合、ページ画像表示制御部１０７０は、それまで表示されていたコマ画像に関連付けられた領域情報の中心点が表示部１０８０の中心点に一致するように、ページ画像データを当該表示用メモリに書き込む。これにより、それまでコマ画像として表示されていた画像を含むページ画像が表示部１０８０によって表示される。
【００９３】
次に、図１１から図１３を参照して、本実施の形態に係る携帯電話機４０の具体的構成について説明する。図１１および図１２は、携帯電話機４０の外観をそれぞれ表わす図である。図１３は、携帯電話機４０のハードウェア構成を表わすブロック図である。
【００９４】
図１１を参照して、携帯電話機４０は、第１の筐体１１１０と第２の筐体１１２０とを備える。さらに、携帯電話機４０は、第１の筐体１１１０に設けられたメインディスプレイ１１３０と、操作部１１４０とを備える。操作部１１４０は、携帯電話機４０による電話の受発信を行なうためのボタンと、メインディスプレイ１１３０に文字を表示するための操作を受け付けるボタンなどを含む。
【００９５】
ページ画像とコマ画像との切り替えは、たとえば、第２の筐体に設けられたボタンの操作に応答して実現される。この場合、メインディスプレイ１１３０において、当該切り替えが実現される。
【００９６】
図１２を参照して、携帯電話機４０は、第１の筐体１１１０の外面（携帯電話機４０が閉じられたときの外側の面）にサブディスプレイ１１３２を備える。また、携帯電話機４０は、携帯電話機４０が閉じられた状態で操作を受け付けるボタン１１５０，１１５２，１１５４を含む。ページ画像とコマ画像との切り替えは、ボタン１１５０，１１５２，１１５４のいずれかの操作に応答して実現することができる。この場合、サブディスプレイ１１３２において、当該表示の切替が実現される。
【００９７】
なお、ページ画像とコマ画像との切り替えは、ボタン操作に限られない。たとえば、携帯電話機の開閉が当該表示の切り替えのトリガであってもよい。たとえば、携帯電話機４０が閉じられている場合にサブディスプレイ１１３２に画像コンテンツのコマ画像が表示されているとき、携帯電話機４０が開かれると、画像コンテンツのページ画像がメインディスプレイ１１３０に表示されてもよい。
【００９８】
［携帯電話機のハードウェア構成］
図１３を参照して、携帯電話機４０は、アンテナ１３０８と、通信装置１３０２と、ＣＰＵ１３１０と、操作ボタン１３２０と、カメラ１３４０と、フラッシュメモリ１３４４と、ＲＡＭ１３４６と、データ用ＲＯＭ１３４８と、音声信号処理回路１３７０と、マイク１３７２と、スピーカ１３７４と、メモリカード駆動装置１３８０と、ＬＥＤ（Light Emitting Diode）１３７６と、データ通信Ｉ／Ｆ１３７８と、バイブレータ１３８４とを備える。メモリカード駆動装置１３８０には、メモリカード６０が装着可能である。
【００９９】
アンテナ１３０８によって受信された信号は、通信装置１３０２によってＣＰＵ１３１０に転送される。ＣＰＵ１３１０は、その信号を音声信号処理回路１３７０に転送する。音声信号処理回路１３７０は、その信号に対して予め設定された信号処理を実行し、スピーカ１３７４に送出する。スピーカ１３７４は、その信号に基づいて音声を出力する。
【０１００】
マイク１３７２は、携帯電話機４０に対する発話を受け付けて、その発話に応じた信号を音声信号処理回路１３７０に送出する。音声信号処理回路１３７０は、その信号に基づいて、通話のために予め規定された信号処理を実行し、処理後の信号をＣＰＵ１３１０に対して送出する。ＣＰＵ１３１０は、その信号を送信用の信号に変換し、変換後の信号を通信装置１３０２に対して送出する。通信装置１３０２がアンテナ１３０８を介してその信号を発信すると、携帯電話機４０の使用者は、他の相手と通話することができる。
【０１０１】
操作ボタン１３２０は、ダイヤル発信のための操作、電話を受信するための操作、文字の入力を受け付けるための操作を可能にする。操作ボタン１３２０は、押下式のボタン、タッチ式のボタン、スライド式のパネルその他として実現される。
【０１０２】
カメラ１３４０は、操作ボタン１３２０に対する操作に基づいて被写体を撮影し、その撮影により取得された信号をＣＰＵ１３１０に送出する。カメラ１３４０は、たとえばＣＣＤ（Charge Coupled Device）素子、ＣＭＯＳ（Complementary Metal-Oxide Semiconductor）素子などにより実現される。
【０１０３】
フラッシュメモリ１３４４は、ＣＰＵ１３１０から送られるデータを格納する。ＣＰＵ１３１０は、フラッシュメモリ１３４４に格納されているデータを読み出し、そのデータを用いて、指定された処理を実行する。ある局面において、フラッシュメモリ１３４４は、画像コンテンツを格納している。すなわち、フラッシュメモリ１３４４は、ページ画像データとコマ画像データと管理情報とをそれぞれ格納している。ＣＰＵ１３１０は、画像コンテンツを表示する命令の入力を検知すると、その命令によって特定される画像コンテンツをフラッシュメモリ１３４４から読み出し、メインディスプレイ１１３０あるいはサブディスプレイ１１３２に各画像を表示させる。
【０１０４】
ＲＡＭ１３４６は、操作ボタン１３２０に対して行なわれた操作に基づいて、ＣＰＵ１３１０によって生成されるデータを一時的に保持する。データ用ＲＯＭ１３４８は、携帯電話機４０によって予め定められた動作を実行させるためのデータ、あるいはプログラムを格納している。当該格納されているプログラムは、携帯電話機４０に画像を表示するためのビューアとして機能させるためのプログラム、コンテンツ配信サーバ１０と通信するためのプログラムなどが含まれる。
【０１０５】
メモリカード駆動装置１３８０は、メモリカード６０の装着を受け付ける。メモリカード駆動装置１３８０は、メモリカード６０に格納されているデータを読み出し、その読み出したデータをＣＰＵ１３１０に送出する。逆に、メモリカード駆動装置１３８０は、ＣＰＵ１３１０から送られる命令に従って、ＣＰＵ１３１０によって与えられたデータ、あるいはＲＡＭ１３４６に保持されているデータをメモリカード６０のデータ記憶領域に格納する。
【０１０６】
音声信号処理回路１３７０は、前述した通話時に用いられる信号に対する処理を実行する。なお、ＣＰＵ１３１０と音声信号処理回路１３７０とが１つの処理ユニットとして構成されてもよい。
【０１０７】
メインディスプレイ１１３０またはサブディスプレイ１１３２は、ＣＰＵ１３１０から出力されるデータに基づいて当該データによって規定される画像を表示する。たとえば、ＣＰＵ１３１０がフラッシュメモリ１３４４からページ画像データを読み出すと、メインディスプレイ１１３０はそのデータに基づくページ画像を表示する。この場合表示されるページ画像は、元の画像と同一の大きさであってもよいし（この場合、一部の画像のみが表示されることになる）、あるいは、メインディスプレイ１１３０またはサブディスプレイ１１３２の画像表示領域全体に収まる程度にまで縮小された画像が表示されてもよい。
【０１０８】
ＬＥＤ１３７６は、ＣＰＵ１３１０からの命令に基づいて予め定められた発光動作を実現する。たとえば、ＬＥＤ１３７６が複数の色を表示可能な場合、ＬＥＤ１３７６は、ＣＰＵ１３１０から出力される信号に含まれるデータに基づいてそのデータに関連付けられている色で発光する。
【０１０９】
データ通信Ｉ／Ｆ１３７８は、携帯電話機４０の外部から通信用のケーブルの装着を受け付ける。データ通信Ｉ／Ｆ１３７８は、ＣＰＵ１３１０から出力される信号を当該ケーブルに対して送出する。あるいは、データ通信Ｉ／Ｆ１３７８には、当該ケーブルを介して受信される信号をＣＰＵ１３１０に対して送出する。
【０１１０】
バイブレータ１３８４は、ＣＰＵ１３１０から出力される信号に基づいて、予め定められた周波数で振動動作を実行する。
【０１１１】
ＣＰＵ１３１０は、管理データとページデータとに基づいて、画像コンテンツをページ単位でメインディスプレイ１１３０（またはサブディスプレイ１１３２）に表示させる。画像コンテンツがページ単位で表示されている場合に、操作ボタン１３２０が画像コンテンツをコマ単位で表示する指示の入力を受け付けると、ＣＰＵ１３１０は、表示されているページデータについての管理データとコマデータに基づいて、画像コンテンツをコマ単位で表示させる。
【０１１２】
ＣＰＵ１３１０は、ページ単位で表示されている画像コンテンツに含まれるコマデータのうちメインディスプレイ１１３０（またはサブディスプレイ１１３２）の表示領域の一点を含むコマデータを、メインディスプレイ１１３０（またはサブディスプレイ１１３２）に表示させる。
【０１１３】
ある局面において、管理データは、画像コンテンツを表示した際に発生させる演出効果を規定する表示効果情報を含む。ある局面において、演出効果は、画像コンテンツをコマ単位で表示させた場合に表示効果情報に基づき生成され、また、画像コンテンツをページ単位で表示させた場合にも、表示効果情報に基づき生成され得る。ある局面において、ページ単位で表示させた場合に生成される演出効果は、特定のコマ画像を表示させた場合に発生される演出効果を含む。
【０１１４】
なお、携帯電話機４０の電話機としての詳細な動作は、当業者にとって容易に理解できるものである。したがって、それらについての説明は繰り返さない。
【０１１５】
次に、図１４を参照して、本実施の形態に係る携帯電話機４０における画像の表示態様について説明する。
【０１１６】
図１４（Ａ）に示されるように、フラッシュメモリ１３４４に格納されている画像コンテンツには、ページ画像を表示するためのデータ１４１０と、コマ画像を表示するためのデータ１４４０とがそれぞれ含まれる。当該ページ画像は、たとえばコマ１４２０、１４３０などを含む。コマ１４３０を表示するためのコマ画像データはデータ１４４０に相当する。
【０１１７】
このような状態で携帯電話機４０に対してコマ画像を表示する命令が与えられると、図１４（Ｂ）に示されるように、メインディスプレイ１１３０は、特定のコマ画像（たとえばコマ１４３０）を表示する。なお、画像が表示されるディスプレイは、メインディスプレイ１１３０に限られず、サブディスプレイ１１３２において表示されてもよい。
【０１１８】
一方、携帯電話機４０に対してページ画像を表示する指示が与えられると、当該ページ画像のうち当該コマ領域がディスプレイ装置の中心部分に来るように、出力用のデータが生成される。より具体的には、図１４（Ｃ）に示されるように、表示対象となるコマ１４３０の領域情報を用いて、当該コマの中心が算出される。その中心の位置がメインディスプレイ１１３０の画像表示領域の中心に来るように、ページ画像を表示するためのデータ１４１０は、表示用メモリに書き込まれる。たとえば、コマ１４３０に対応する領域の中心点の座標値に対して当該画像を携帯電話機４０の長手方向に沿って移動させるためのオフセット量が各座標値に対して与えられる。そうすると、図１４（Ｄ）に示されるように、コマ１４３０を含むページ画像がメインディスプレイ１１３０の表示領域内に収まるように表示される。
【０１１９】
次に、図１５を参照して、本願発明実施の形態における領域情報について説明する。図１５は、領域情報と表示範囲との関係を表わす図である。表示範囲は、たとえば矩形の領域によって規定される。この場合、幅１５３０と高さ１５４０とが表示範囲として決定される。基準点１５２０が当該表示範囲の対角線の交点において規定される。これにより、コマ画像に対応する領域１５１０の基準座標が定まることになる。
【０１２０】
なお、コマ画像を構成する領域の形状は、矩形領域に限られず、楕円形、三角形、円その他の形状が使用されてもよい。また、領域情報は、物理的な範囲と、該範囲の相対的な位置を示す事が出来ればよく、たとえば、多角形の頂点座標の集合によって規定してもよい。さらに、領域の基準座標は、別途指定される座標で規定しても、該範囲から基準座標（例えば、重心）を算出することにより規定してもよい。
【０１２１】
次に、図１６および図１７を参照して、本実施の形態に係る携帯電話機４０の制御構造について説明する。図１６および図１７は、それぞれ、携帯電話機４０のＣＰＵ１３１０が実行する一連の動作の一部を表わすフローチャートである。
【０１２２】
図１６を参照して、ステップＳ１６１０にて、ＣＰＵ１３１０は、操作ボタン１３２０からの信号に基づいて、フラッシュメモリ１３４４に格納されている画像コンテンツの表示指示が入力されたことを検知する。ステップＳ１６２０にて、ＣＰＵ１３１０は、フラッシュメモリ１３４４に格納されている現在の表示モードフラグと、コマカウンタ値とを読み出す。表示モードフラグは、メインディスプレイ１１３０あるいはサブディスプレイ１１３２において画像コンテンツを表示するためのモードを規定している。表示モードは、たとえば通常モードに加えて、ページ画像表示モードとコマ画像表示モードとを含む。ページカウンタ値は、現在表示されているページを表わす値を保持している。あるいは、ページカウンタ値は、次表示指示が入力されたときに表示されるべきページを表わす値が格納されている場合もある。コマカウンタ値は、表示が完了したコマ画像の番号を保持している。ページカウンタ値およびコマカウンタ値は、以下の処理が実行されると、その処理の内容に応じて更新される。
【０１２３】
ステップＳ１７００にて、ＣＰＵ１３１０は、後述する表示処理を実行する。この処理が実行されると、ＣＰＵ１３１０によって生成された描画データに基づく画像が、メインディスプレイ１１３０あるいはサブディスプレイ１１３２に表示される。
【０１２４】
ステップＳ１６３０にて、ＣＰＵ１３１０は、ＣＰＵ１３１０に対して与えられた信号に基づいてキー入力の有無を判定する。ＣＰＵ１３１０は、キー入力があったと判定すると（ステップＳ１６３０にてＹＥＳ）、制御をステップＳ１６４０に切替る。そうでない場合には（ステップＳ１６３０にてＮＯ）、ＣＰＵ１３１０は制御をステップＳ１７００に戻す。
【０１２５】
ステップＳ１６４０にて、ＣＰＵ１３１０は、そのキー入力が有効であるか否かを判定する。ＣＰＵ１３１０は、そのキー入力が有効であると判定すると（ステップＳ１６４０にてＹＥＳ）、制御をステップＳ１６５０に切り替える。そうでない場合には（ステップＳ１６４０にてＮＯ）、ＣＰＵ１３１０は制御をステップＳ１７００に戻す。
【０１２６】
ステップＳ１６５０にて、ＣＰＵ１３１０は、そのキー入力が表示モード切替の指示であるか否かを判定する。この判定は、そのキー入力によってＣＰＵ１３１０に与えられた信号が表示切替のための信号に一致するか否かに基づいて行なわれる。ＣＰＵ１３１０は、そのキー入力が表示モード切替の指示であると判定すると（ステップＳ１６５０にてＹＥＳ）、制御をステップＳ１６６０に切り替える。そうでない場合には（ステップＳ１６５０にてＮＯ）、ＣＰＵ１３１０は、制御をステップＳ１６７０に移す。
【０１２７】
ステップＳ１６６０にて、ＣＰＵ１３１０は、メインディスプレイ１１３０あるいはサブディスプレイ１１３２において画像コンテンツを表示するための表示モードを切り替える。ＣＰＵ１３１０は、表示モードを切り替えると、切り替え後の表示モードを表わすフラグをオンに設定する。表示モードの切り替えは、コマ表示モードからページ表示モードへの切り替え、ページ表示モードからコマ表示モードへの切り替えを含む。このモードの切り替えには、他の表示モードが含まれていてもよい。
【０１２８】
ステップＳ１６７０にて、ＣＰＵ１３１０は、メインディスプレイ１１３０あるいはサブディスプレイ１１３２が表示している画像は、当該画像コンテンツの最後の画像であるか否かを判定する。この判定は、フラッシュメモリ１３４０に格納されている各画像の表示順序を表わすデータに基づいて行なわれる。ＣＰＵ１３１０は、メインディスプレイ１１３０あるいはサブディスプレイ１１３２が最後の画像を表示していると判定すると（ステップＳ１６７０にてＹＥＳ）、処理を終了する。そうでない場合には（ステップＳ１６７０にてＮＯ）、ＣＰＵ１３１０は、制御をステップＳ１６８０に切り替える。
【０１２９】
ステップＳ１６８０にて、ＣＰＵ１３１０は、当該画像コンテンツの表示を終了する指示が入力されたか否かを判定する。ＣＰＵ１３１０は、当該指示が入力されたと判定すると（ステップＳ１６８０にてＹＥＳ）、処理を終了する。そうでない場合には（ステップＳ１６８０にてＮＯ）、ＣＰＵ１３１０は、制御をステップＳ１６９０に切り替える。
【０１３０】
ステップＳ１６９０にて、ＣＰＵ１３１０は、コマカウンタ値を「１」カウントアップする。
【０１３１】
図１７を参照して、ステップＳ１７０２にて、ＣＰＵ１３１０は、コマ情報を取得する。より詳しくは、ＣＰＵ１３１０は、フラッシュメモリ１３４０に格納されている画像コンテンツより制御情報を読み出し、フラッシュメモリ１３４０に格納されているコマカウンタ値に基づいて、当該制御情報から、次に表示すべきコマに対応したコマ情報を読み出す。
【０１３２】
ステップＳ１７１０にて、ＣＰＵ１３１０は、画像コンテンツの表示モードがコマ表示モードであるか否かを判定する。この判定は、フラッシュメモリ１３４４に格納されている表示モードフラグに基づいて行なわれる。ＣＰＵ１３１０は、当該表示モードがコマ表示モードであると判定すると（ステップＳ１７１０にてＹＥＳ）、制御をステップＳ１７２０に切り替える。そうでない場合には（ステップＳ１７１０にてＮＯ）、ＣＰＵ１３１０は制御をステップＳ１７４０に切り替える。
【０１３３】
ステップＳ１７２０にて、ＣＰＵ１３１０は、ステップＳ１７０２にて読み出した当該コマ情報に基づいて、表示すべきコマ画像データ名を抽出し、画像コンテンツに含まれる当該コマ画像データを、フラッシュメモリ１２４０より読み出す。ステップＳ１７３０にて、ＣＰＵ１３１０は、読み出したコマ画像データに基づいてメインディスプレイ１１３０あるいはサブディスプレイ１１３２の表示領域に応じた描画データを生成する。
【０１３４】
ステップＳ１７４０にて、ＣＰＵ１３１０は、ステップＳ１７０２にて読み出した当該コマ情報に基づいて、表示すべきページ画像データ名と当該コマに対応した領域情報を抽出し、画像コンテンツに含まれる当該ページ画像データを、フラッシュメモリ１２４０より読み出す。ステップＳ１７５０にて、ＣＰＵ１３１０は、当該領域情報に基づいてページ画像の表示領域を決定する。ステップＳ１７６０にて、ＣＰＵ１３１０は、当該表示領域の中心がメインディスプレイ１１３０あるいはサブディスプレイ１１３２の表示領域の中心に対応する描画データを生成する。
【０１３５】
ステップＳ１７７０にて、ＣＰＵ１３１０は、生成した描画データを表示用メモリに書き込む。メインディスプレイ１１３０あるいはサブディスプレイ１１３２は、そのデータに基づいて画像を表示する。その際、当該コマ情報に表示効果が設定されている場合は、ＣＰＵ１３１０は、当該表示効果を実施する。たとえば、表示効果として”fade-in”が指定されている場合には、ＣＰＵ１３１０は、前記画像をフェードインさせながら表示する。あるいは、”bgm="music1.bgm"”が指定されている場合には、ＣＰＵ１３１０は、画像コンテンツに含まれる音声ファイル(music1.bgm)をフラッシュメモリ１２４０から読み出し、当該音声ファイルに基づいた音声を発生させる制御を行う。あるいは、”vibration=5”が指定されてる場合には、ＣＰＵ１３１０は、たとえば５秒の間、端末本体を振動させる制御を行う。なお、表示効果の実施方法については当業者が容易に理解できるものであるため、ここで詳細には述べない。
【０１３６】
次に、図１８を参照して、本実施の形態に係る携帯電話機４０における画像コンテンツの表示の推移について説明する。図１８は、画像コンテンツがメインディスプレイ１１３０に表示された場合における画面の推移を表わす図である。
【０１３７】
図１８（Ａ）に示されるように、メインディスプレイ１１３０は、その表示領域にコマ画像１８１０を表示している。携帯電話機４０の使用者が操作ボタン１３２０を操作すると（たとえば右方向の移動を促すボタンを押下すると）、ＣＰＵ１３１０は、その入力に応答してコマ画像１８１０の次に表示されるべきコマ画像１８１２を制御情報に含まれるコマ情報から特定し、メインディスプレイ１１３０に当該コマ画像のデータを送信する。同様にして図１８（Ｃ）から図１８（Ｅ）までコマ画像が順に送られる。
【０１３８】
同様に、図１８（Ｆ）から図１８（Ｇ）を参照して、ページ画像の表示の変化も説明される。すなわち、コマに対応した領域１８２０は、メインディスプレイ１１３０の中心に表示される。この表示位置は、表示領域の中心座標と当該コマ画像１８２０の中心の座標との対応に従って実現される。
【０１３９】
その後、携帯電話機４０の使用者が操作ボタン１３２０を操作することにより次の画面の表示を促すと、領域１８２０に対応したコマの次に表示されるべきコマに対応した領域１８２２がメインディスプレイ１１３０の中央部に同様に表示される。図１８（Ｈ）から図１８（Ｊ）についても同様である。
【０１４０】
さらに、本実施の形態に係る携帯電話機４０によると、コマ画像の表示モードとページ画像の表示モードとを順次切り替えることができる。すなわち、図１８（Ａ）と図１８（Ｆ）とを参照して、コマ画像１８１０が表示されているときに（図１８（Ａ））、表示モードの切替指令が操作ボタン１３２０を介して与えられると、メインディスプレイ１１３０は画面を切り替えてページ画像を表示する（図１８（Ｆ））。
【０１４１】
一方、メインディスプレイ１１３０がページ画像を表示している場合（たとえば図１８（Ｇ））、操作ボタン１３２０が画像の表示モードの切替指示を受け付けると、当該ページ画像の中央に表示されている領域１８２２に相当するコマ画像１８１２がメインディスプレイ１１３０の中央部に表示される（図１８（Ｂ））。
【０１４２】
図１８（Ｃ）と図１８（Ｈ）、図１８（Ｄ）と図１８（Ｉ）、図１８（Ｅ）と図１８（Ｊ）との間の切り替えも同様である。
【０１４３】
以上より、本発明の第１の実施の形態に係る携帯電話機４０は、領域情報が関連付けられたコマ画像を格納している。したがって、携帯電話機４０は、ページ画像とコマ画像との間で表示を矛盾なく切り替えることができる。
【０１４４】
そして、ページ画像の解像度は変更されないため、携帯電話機４０の使用者は、ページ原稿の閲覧に近い状態で画像コンテンツを閲覧することができる。また、当該使用者は、コマ画像表示とページ画像表示を同じコマ情報に基づいて閲覧するため、表示効果を共有することができ、両表示モードにおいて論理的矛盾無く同様の演出効果を実現することが容易となる。
【０１４５】
また、当該コマ画像は、ページ原稿を読み込むことにより得られたページ画像から作成されるため、領域情報を容易に取得することができる。したがって、画像コンテンツを効率よく作成することができる。
【０１４６】
＜第２の実施の形態＞
以下、本発明の第２の実施の形態について説明する。本実施の形態に係る携帯電話機は、ページ画像を表示するときに表示対象となる画像を拡大あるいは縮小できる機能を有する点で、第１の実施の形態と異なる。
【０１４７】
なお、本実施の形態に係る携帯電話機は、第１の実施の形態に係る携帯電話機４０と同様のハードウェア構成を用いて実現される。したがって、ここでは当該携帯電話機の構成についての説明は繰り返さない。以下、携帯電話機４０のハードウェア構成を適宜援用する。
【０１４８】
まず、図１９を参照して、本実施の形態に係る画像の表示態様について説明する。図１９は、画像コンテンツを表示する場合におけるデータの流れを表わす図である。
【０１４９】
図１９（Ａ）に示されるように、フラッシュメモリ１３４４に格納されている画像コンテンツには、ページ画像を表示するためのデータとコマ画像を表示するためのデータとが含まれる。フラッシュメモリ１３４４におけるデータの関係は、図１４に示される図と同様である。
【０１５０】
この状態において、携帯電話機に対してコマ画像を表示する指示が与えられると、ＣＰＵ１３１０は、フラッシュメモリ１３４４から選択されたコマ画像を表示するためのデータ１４４０を読み出し、メインディスプレイ１１３０にその読み出したデータに基づく画像を表示させる。より具体的には、図１９（Ｂ）に示されるように表示される。
【０１５１】
一方、ページ画像を表示する指示が与えられると、本実施の形態に係る携帯電話機は、第１の実施の形態とは異なり、当該選択された表示範囲を拡大あるいは縮小し、その拡大あるいは縮小の後のデータに基づいて画像を表示する（図１９（Ｄ））。
【０１５２】
より具体的には、ページ画像を構成するデータから当該コマに対応する領域が決定され、当該領域に含まれるデータを用いて、画像を拡大表示あるいは縮小表示させるための処理を実行する。このようにすると、特定のコマ画像について、コマ画像の表示モードであってもあるいはページ画像の表示モードであっても同程度の大きさで画面を表示することも可能になるため、コマ画像表示モードとページ画像表示モードとの切替によっても、携帯電話機４０の利用者は、同様の内容を確認することができる。
【０１５３】
次に、図２０を参照して、本実施の形態に係る携帯電話機の制御構造について説明する。図２０は、本実施の形態に係る携帯電話機４０を実現するＣＰＵ１３１０が実行する一連の動作の一部を表わすフローチャートである。なお、前述の第１の実施の形態における処理と同一の処理には同一のステップ番号を付してある。それらの処理についてはその説明を繰り返さない。
【０１５４】
ステップＳ２０１０にて、ＣＰＵ１３１０は、ページ原稿に対するコマ画像の表示倍率と同等になるように、ページ画像のデータを拡大あるいは縮小する。たとえば、画像コンテンツは、ページ原稿取り込み時のページ画像の解像度情報および各コマ画像の解像度情報を含んでおり、ＣＰＵ１３１０は、コマ画像の解像度と同等の解像度となるように、ページ画像のデータを拡大あるいは縮小する。ＣＰＵ１３１０は、さらに、ページ画像のデータをＲＡＭ１３４６に読み出し、当該解像度を用いてページ画像のデータのサイズを変更する。たとえば、ページ原稿読み取り時のページ画像の解像度を１００ｄｐｉ（dots per inch）、或るコマの同解像度を２００dpiとした場合、ＣＰＵ１３１０は、ページ画像を表示する際に縦横２倍の拡大表示を行う事になる。
【０１５５】
次に、図２１を参照して、本実施の形態に係る携帯電話機の画面の表示態様について説明する。図２１（Ａ）から図２１（Ｊ）は、それぞれメインディスプレイ１１３０における画面の推移を表わす図である。なお、サブディスプレイ１１３２においても同様の画面表示が実現される。
【０１５６】
図２１（Ａ）を参照して、携帯電話機４０の動作モードがコマ画像表示モードであるとき、メインディスプレイ１１３０は、いずれか１点のコマ画像２０１０を表示する。その後、操作ボタン１３２０に対する操作によってコマ画像の表示を切り替える指示が携帯電話機４０に与えられると、メインディスプレイ１１３０は、その指令の入力に応答して、コマ画像を順次切り替えて表示する。
【０１５７】
一方、コマ画像が表示されている状態において（たとえば図２１（Ａ））、表示モードをページ画像表示モードに切り替える指示が与えられると、メインディスプレイ１１３０は、当該コマ画像２０１０を含むページ画像を表示する。より具体的には、ＣＰＵ１３１０は、表示モードの切替指示の入力を検知すると、メインディスプレイ１１３０に表示されているコマ画像２０１０に対応する領域をページ画像において特定し、当該特定した領域をメインディスプレイ１１３０の大きさに合わせる処理を実行する。たとえばコマ画像と同様の大きさにするまでの拡大処理が実行される。その拡大処理が実行されたコマ画像２０２０は、メインディスプレイ１１３０によって表示される。メイン画像表示モードにおいてページを切り替える指示が与えられると、ページの切り替えに代えて、当該ページ画像に含まれる次のコマ画像（領域２０２２）が表示される。その後も同様に実現される（図２１（Ｈ）から図２１（Ｊ））。
【０１５８】
図２２を参照して、本発明の第１および第２の実施の形態に係る携帯電話機のデータ構造について説明する。図２２は、携帯電話機４０のフラッシュメモリ１３４４におけるデータの格納の一態様を概念的に表わす図である。フラッシュメモリ１３４４は、データを不揮発的に保持するための領域を含む。
【０１５９】
詳しくは、フラッシュメモリ１３４４には、画像コンテンツ２２１０，２２２０，２２３０が格納されている。画像コンテンツ２２１０，２２２０，２２３０は、図８に示される画像コンテンツ８００に相当する。画像コンテンツ２２１０は、ページ画像データ２２１１と、第１のコマ画像データ２２１２と、第２のコマ画像データ２２１３と、第３のコマ画像データ２２１４と、管理情報２２１５とを含む。管理情報２２１５は、第１のコマ情報と、第２のコマ情報と、第３のコマ情報とを含む。各コマ情報は、第１のコマ画像データ２２１２、第２のコマ画像データ２２１３、第３のコマ画像データ２２１４のそれぞれに関連付けられている。
【０１６０】
さらに、フラッシュメモリ１３４４は、携帯電話機４０が実行する主たるアプリケーションを保持している。具体的には、フラッシュメモリ１３４４は、画像コンテンツの閲覧のためのビューアプログラム２２８０と、携帯電話機４０による通信を実現する通信制御プログラム２２８２と、携帯電話機４０の基本的動作を制御するファームウェア２２８４とを格納している。
【０１６１】
ある局面において、ＣＰＵ１３１０は、ビューアプログラム２２８０を実行し、画像コンテンツ２２１０，２２２０，２２３０等に基づきコンテンツをメインディスプレイ１１３０またはサブディスプレイ１１３２に表示する。そのとき、携帯電話機４０の使用者が表示モードの切替を携帯電話機４０に指示すると（ステップＳ１６５０にてＹＥＳ）、ＣＰＵ１３１０は、ページ画像２２１１等と、各コマ画像データ２２１２，２２１３，２２１４等と、管理情報とに基づいて、画像コンテンツの表示態様を切り換える。
【０１６２】
以上の各実施の形態は、１つのディスプレイ装置が、コマ画像とページ画像とを「切り替えて」表示する場合を説明している。しかしながら、本発明の適用は、１つのディスプレイ装置を有する携帯機器に限られない。たとえば、複数のディスプレイ装置を有する携帯機器において、コマ画像とページ画像とが、別個のディスプレイ装置に表示されてもよい。あるいは、１つのディスプレイが、コマ画像およびページ画像を共に表示してもよい。そこで、以下、上記の各実施の形態の変形例について説明する。
【０１６３】
＜第１の変形例＞
図２３は、第１の変形例に係る携帯電話機２３００の外観を表わす図である。携帯電話機２３００は、図１２に示される携帯電話機４０と同様に、複数のディスプレイ装置２３１０，２３２０を備える。
【０１６４】
図２３に示される例では、ディスプレイ２３１０は、コマ画像２３１２を表示する。ディスプレイ２３２０は、ページ画像２３２２を表示する。ページ画像２３２２は、複数のコマ画像Ａ〜Ｋを含む。このうち、コマ画像Ａは、ディスプレイ装置２３１０に表示されているコマ画像２３１２に対応する。
【０１６５】
このような表示は、たとえば、携帯電話機２３００が備えるプロセッサ（たとえば、図１３のＣＰＵ１３１０に相当）が、コマ画像２３１２の表示のためのデータの出力先をディスプレイ３３１０に設定し、ページ画像２３２２の表示のためのデータの出力先をディスプレイ２３２０に設定することにより、実現される。なお、図２３における表示態様に代えて、ディスプレイ２３１０がページ画像を表示し、ディスプレイ２３２０がコマ画像を表示する態様であってもよい。この場合の表示は、当該プロセッサが画像データの出力先を変更することによって、実現される。
【０１６６】
＜第２の変形例＞
図２４は、第２の変形例に係る携帯電話機２４００の外観を表わす図である。携帯電話機２４００は、ディスプレイ２４１０と、操作ボタン２４３０とを含む。ディスプレイ２４１０における表示は、携帯電話機２４００が備えるプロセッサ（図示しない）によって実現される。
【０１６７】
ディスプレイ２４１０は、当該プロセッサの制御に基づいて、その表示領域に、コマ画像２４１２とページ画像２４２２とを共に表示する。コマ画像とページ画像との間におけるカーソルの表示の切り替えは、たとえば、操作ボタン２４１０において予め定められたボタンの操作によって実現される。
【０１６８】
なお、操作ボタン２４３０は、たとえば、０〜９の数字と記号とを含む１２キーによって実現されるが、他の局面において、圧電素子を含むタッチパッドのような入力デバイスとしても実現可能である。この場合、ディスプレイ２４１０におけるカーソルの移動を容易に実現することができる。
【０１６９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１７０】
本発明は、携帯電話機、携帯情報端末その他の小型の表示領域を有する画像表示端末に適用可能である。
【図面の簡単な説明】
【０１７１】
【図１】本発明の第１の実施の形態に係る画像表示装置が接続されるネットワーク構成を表わす図である。
【図２】画像コンテンツを構成する画像の関係を表わす図である。
【図３】コマ画像とページ画像との対応付けを表わす図である。
【図４】本発明の第１の実施の形態に係るコンテンツ配信サーバ１０によって実現される機能の構成を表わすブロック図である。
【図５】コンテンツ配信サーバ１０として機能するコンピュータシステム５００のハードウェア構成を表わすブロック図である。
【図６】コンピュータシステム５００とスキャナ５９０とが実行する一連の動作の手順を表わすフローチャートである。
【図７】コンテンツ配信サーバ１０として機能するコンピュータシステム５００のハードディスク５５０におけるデータの格納の一態様を概念的に表わす図である。
【図８】画像を表示するための情報と当該情報によって表示される画像とを表わす図である。
【図９】各コマ画像と領域情報との関係を表わす図である。
【図１０】本発明の第１の実施の形態に係る携帯電話機４０によって実現される機能の構成を表わすブロック図である。
【図１１】携帯電話機４０の外観をそれぞれ表わす図（その１）である。
【図１２】携帯電話機４０の外観をそれぞれ表わす図（その２）である。
【図１３】携帯電話機４０のハードウェア構成を表わすブロック図である。
【図１４】携帯電話機４０における画像の表示態様を表わす図である。
【図１５】領域情報と表示範囲との関係を表わす図である。
【図１６】携帯電話機４０のＣＰＵ１３１０が実行する一連の動作の一部を表わすフローチャート（その１）である。
【図１７】携帯電話機４０のＣＰＵ１３１０が実行する一連の動作の一部を表わすフローチャート（その２）である。
【図１８】画像コンテンツがメインディスプレイ１１３０に表示された場合における画面の推移を表わす図である。
【図１９】画像コンテンツを表示する場合におけるデータの流れを表わす図である。
【図２０】本発明の第２の実施の形態に係る携帯電話機４０を実現するＣＰＵ１３１０が実行する一連の動作の一部を表わすフローチャートである。
【図２１】メインディスプレイ１１３０における画面の推移を表わす図である。
【図２２】携帯電話機４０のフラッシュメモリ１３４４におけるデータの格納の一態様を概念的に表わす図である。
【図２３】第１の変形例に係る携帯電話機２３００の外観を表わす図である。
【図２４】第２の変形例に係る携帯電話機２４００の外観を表わす図である。
【符号の説明】
【０１７２】
１０  コンテンツ配信サーバ、２０  ネットワーク、３０  基地局、４０  携帯電話機、５０  ＰＣ、６０  メモリカード、７０  携帯端末、２００  ページ画像、２１２〜２３２  コマ画像、５６２  ＣＤ−ＲＯＭ、１１１０  第１の筐体、１１２０  第２の筐体、１１３０  メインディスプレイ、１１４０  操作部、１１５０，１１５２，１１５４  ボタン、１３０８  アンテナ、１５１０  領域、１５２０  基準点、１５３０  幅、１５４０  高さ。
【図１】
2009258172.tif 000003
【図２】
2009258172.tif 000004
【図３】
2009258172.tif 000005
【図４】
2009258172.tif 000006
【図５】
2009258172.tif 000007
【図６】
2009258172.tif 000008
【図７】
2009258172.tif 000009
【図８】
2009258172.tif 000010
【図９】
2009258172.tif 000011
【図１０】
2009258172.tif 000012
【図１１】
2009258172.tif 000013
【図１２】
2009258172.tif 000014
【図１３】
2009258172.tif 000015
【図１４】
2009258172.tif 000016
【図１５】
2009258172.tif 000017
【図１６】
2009258172.tif 000018
【図１７】
2009258172.tif 000019
【図１８】
2009258172.tif 000020
【図１９】
2009258172.tif 000021
【図２０】
2009258172.tif 000022
【図２１】
2009258172.tif 000023
【図２２】
2009258172.tif 000024
【図２３】
2009258172.tif 000025
【図２４】
2009258172.tif 000026